(57)【特許請求の範囲】
【請求項１】
断面溝形のレール材の両側板部間に荷支持用ローラーをレール材長さ方向適当間隔おきに軸支して成る複数本のローラーレールを支持枠に並列架設した流動棚装置において、ローラーレールのレール材の両側板部には、レール材長さ方向に連続する被係合部が設けられ、前記支持枠には、前記ローラーレールの長さ方向の中間部を支持する中間水平支持部材が架設され、この中間水平支持部材とその上に位置する前記ローラーレールとを連結する連結手段は、中間水平支持部材をローラーレールの長さ方向両側から挟む一対の挟持部材から成り、この一対の挟持部材の内、少なくとも一方の挟持部材には、前記レール材の左右両被係合部にレール材長さ方向移動自在に係合する左右一対の係合部が設けられ、両挟持部材には、これら両挟持部材が中間水平支持部材を挟み付けた状態で互いに係合する係止手段が設けられている、流動棚装置。
【請求項２】
一対の挟持部材の内、一方の挟持部材には、前記中間水平支持部材に被さる天板部と、この天板部の左右両側辺から立ち上がるように前記左右一対の係合部が設けられ、他方の挟持部材には、前記一方の挟持部材の天板部とレール材との間の隙間を埋める板厚で当該隙間に対しレール材長さ方向に抜き差し自在な差し込み板部が設けられ、前記係止手段は、前記天板部と前記差し込み板部との内、一方に設けられた係止部と他方に設けられた被係止部とから成る、請求項１に記載の流動棚装置。
【請求項３】
前記係止手段の係止部は、前記天板部に切り込みにより形成された上下に弾性変位可能な舌片部とこの舌片部の上側に形成された係止突起とから構成され、前記被係止部は、前記差し込み板部に設けられた孔で構成されている、請求項２に記載の流動棚装置。
【請求項４】
前記差し込み板部には、レール材の底面に圧接する突起部が形成されている、請求項１〜３の何れか１項に記載の流動棚装置。
【請求項５】
一対の挟持部材の内、一方の挟持部材には、前記中間水平支持部材に被さる天板部と、この天板部の左右両側辺から立ち上がるように前記左右一対の係合部が設けられ、他方の挟持部材には、前記一方の挟持部材の天板部とレール材との間の隙間を埋める板厚で当該隙間に対しレール材長さ方向に抜き差し自在な左右一対の差し込み板部が設けられ、前記係止手段は、前記左右一対の差し込み板部の先端側部に突設された抜け止め用係止爪部から成る係止部と、この係止爪部が係合するように前記左右一対の係合部に設けられた被係止部とから成る、請求項１に記載の流動棚装置。
【請求項６】
一対の挟持部材の内、一方の挟持部材には、前記中間水平支持部材に被さって当該中間水平支持部材とレール材との間の隙間を埋める天板部と、この天板部の左右両側辺から立ち上がるように前記左右一対の係合部が設けられ、他方の挟持部材には、前記一方の挟持部材の天板部に設けられた差し込み孔に対しレール材長さ方向に抜き差し自在な差し込み板部が設けられ、前記係止手段は、前記天板部と前記差し込み板部との内、一方に設けられた係止部と他方に設けられた被係止部とから成る、請求項１に記載の流動棚装置。
【請求項７】
前記係止部は、前記差し込み板部に切り込みにより形成された上下に弾性変位可能な舌片部とこの舌片部の上側に形成された係止突起とから構成され、前記被係止部は、前記天板部の差し込み孔の上側板部に設けられた孔で構成されている、請求項６に記載の流動棚装置。
【発明の詳細な説明】
【技術分野】
【０００１】
本発明は、断面溝形のレール材の両側板部間に荷支持用ローラーをレール材長さ方向適当間隔おきに軸支して成る複数本のローラーレールを支持枠に並列架設した流動棚装置に関するものである。
【背景技術】
【０００２】
この種の流動棚装置は、特許文献１にも記載されているように、支持枠の前後両側に架設されている水平支持部材に各ローラーレールの長さ方向の両端部を支持させたものであるが、ローラーレールの長さを長くして積載数量を多くしたり、重量物を取り扱えるようにしようとした場合、各ローラーレールの長さ方向の中間部分も支持枠側の水平支持部材で支持させる必要が生じる。この場合、支持枠側にローラーレールの長さ方向の中間部分を支持する中間水平支持部材を架設すれば良いが、この中間水平支持部材とこの上に支持されるローラーレールとを何らかの連結手段で連結する方が、ローラーレールの位置が安定するので好ましい。
【特許文献１】特開２００３−２９２１２０号公報
【発明の開示】
【発明が解決しようとする課題】
【０００３】
しかしながら、従来のこの種の流動棚装置では、支持枠側の中間水平支持部材とこの上に支持されるローラーレールとを簡単且つ確実に連結できる連結手段を採用したものは知られていなかった。
【課題を解決するための手段】
【０００４】
本発明は上記のような従来の問題点を解消し得る流動棚装置を提供することを目的とするものであって、請求項１に記載の流動棚装置は、後述する実施形態の参照符号を付して示すと、断面溝形のレール材１３の両側板部１４ａ，１４ｂ間に荷支持用ローラー１５をレール材長さ方向適当間隔おきに軸支して成る複数本のローラーレール３を支持枠１に並列架設した流動棚装置において、ローラーレール３のレール材１３の両側板部１４ａ，１４ｂには、レール材長さ方向に連続する被係合部１７ａ，１７ｂが設けられ、前記支持枠１には、前記ローラーレール３の長さ方向の中間部を支持する中間水平支持部材７が架設され、この中間水平支持部材７とその上に位置する前記ローラーレール３とを連結する連結手段２２は、中間水平支持部材７をローラーレール３の長さ方向両側から挟む一対の挟持部材２３，２４から成り、この一対の挟持部材２３，２４の内、少なくとも一方の挟持部材２３には、前記レール材１３の左右両被係合部１７ａ，１７ｂにレール材長さ方向移動自在に係合する左右一対の係合部２７ａ，２７ｂが設けられ、両挟持部材２３，２４には、これら両挟持部材２３，２４が中間水平支持部材７を挟み付けた状態で互いに係合する係止手段２５が設けられた構成となっている。
【０００５】
上記構成の本発明を実施するについて、具体的には請求項２に記載のように、一対の挟持部材２３，２４の内、一方の挟持部材２３には、前記中間水平支持部材７に被さる天板部２６と、この天板部２６の左右両側辺から立ち上がるように前記左右一対の係合部２７ａ，２７ｂを設け、他方の挟持部材２４には、前記一方の挟持部材２３の天板部２６とレール材１３との間の隙間を埋める板厚で当該隙間に対しレール材長さ方向に抜き差し自在な差し込み板部２９を設け、前記係止手段２５は、前記天板部２６と前記差し込み板部２９との内、一方に設けられた係止部２８と他方に設けられた被係止部３０とから構成することができる。この場合、請求項３に記載のように、前記係止手段２５の係止部２８は、前記天板部２６に切り込み２８ｃにより形成された上下に弾性変位可能な舌片部２８ａとこの舌片部２８ａの上側に形成された係止突起２８ｂとから構成し、前記被係止部３０は、前記差し込み板部２９に設けられた孔３０ａで構成することができる。
【０００６】
又、請求項４に記載のように、前記差し込み板部２９には、レール材１３の底面に圧接する突起部３１を形成することができる。
【０００７】
更に、請求項５に記載のように、一対の挟持部材２３，２４の内、一方の挟持部材２３には、前記中間水平支持部材７に被さる天板部２６と、この天板部２６の左右両側辺から立ち上がるように前記左右一対の係合部２７ａ，２７ｂを設け、他方の挟持部材２４には、前記一方の挟持部材２３の天板部２６とレール材１３との間の隙間を埋める板厚で当該隙間に対しレール材長さ方向に抜き差し自在な左右一対の差し込み板部３３ａ，３３ｂを設け、前記係止手段３４は、前記左右一対の差し込み板部３３ａ，３３ｂの先端側部に突設された抜け止め用係止爪部３５ａ，３５ｂから成る係止部３５と、この係止爪部３５ａ，３５ｂが係合するように前記左右一対の係合部２７ａ，２７ｂに設けられた被係止部３６とから構成することができる。
【０００８】
又、請求項６に記載のように、一対の挟持部材２３，２４の内、一方の挟持部材２３には、前記中間水平支持部材７に被さって当該中間水平支持部材７とレール材１３との間の隙間を埋める天板部２６と、この天板部２６の左右両側辺から立ち上がるように前記左右一対の係合部２７ａ，２７ｂを設け、他方の挟持部材２４には、前記一方の挟持部材２３の天板部２６に設けられた差し込み孔３８に対しレール材長さ方向に抜き差し自在な差し込み板部２９を設け、前記係止手段３９は、前記天板部２６と前記差し込み板部２９との内、一方に設けられた係止部４１と他方に設けられた被係止部４０とから構成することができる。この場合、請求項７に記載のように、前記係止部４１は、前記差し込み板部２９に切り込み４１ｃにより形成された上下に弾性変位可能な舌片部４１ａとこの舌片部４１ａの上側に形成された係止突起４１ｂとから構成し、前記被係止部４０は、前記天板部２６の差し込み孔３８の上側板部３８ａに設けられた孔４０ａで構成することができる。
【発明の効果】
【０００９】
上記請求項１に記載の本発明に係る流動棚装置においては、一対の挟持部材の内、ローラーレール側の左右一対の被係合部と係合する係合部を備えた挟持部材を、当該被係合部と係合部とを利用してローラーレールの下側に取り付けておき、このローラーレールが中間水平支持部材の上に載置される状態で支持枠の所定位置に架設されたならば、前記一対の挟持部材を、その間に前記中間水平支持部材が位置する状態で互いにローラーレール長さ方向に接近移動させて、両挟持部材が中間水平支持部材を挟み付けた状態で当該両挟持部材を係止手段により互いに係合させることにより、ローラーレールと中間水平支持部材とを互いに連結することができる。
【００１０】
即ち、本発明の構成によれば、２つの挟持部材を使用するだけの簡単な構成であって、安価に実施することができ、しかもその２つの挟持部材を互いに接近移動させるだけの極めて容易な操作により、支持枠側の中間水平支持部材とその上に位置するローラーレールの中間部分とを確実に連結し、当該ローラーレールが長尺のものであっても、或いは重量物を取り扱う場合でも、当該ローラーレールの中間部分を定位置に安定保持させ、流動棚として安全に使用することができるに至ったのである。
【００１１】
尚、請求項２や請求項５に記載の構成によれば、一方の挟持部材に設けられる係合部とローラーレール側の被係合部との係合により当該一方の挟持部材がローラーレールのレール材から下方に離れるのを阻止できる構造でありさえすれば、ローラーレールのレール材と一方の挟持部材の天板部との間に差し込まれる他方の挟持部材の差し込み板部により、ローラーレールに対する前記一方の挟持部材のがたつきを抑えることが可能となる。従って、一方の挟持部材に設けられる係合部とローラーレール側の被係合部との係合により当該一方の挟持部材がローラーレールに対してがたつきなく取り付けられるように、これら係合部と被係合部とを構成しなければならない場合と比較して、実施が容易になる。特に請求項２〜４に記載の構成は、金属板のプレス加工で連結手段を構成する場合に好適であり、請求項５に記載の構成は、合成樹脂の成形品として連結手段を構成する場合に好適である。
【００１２】
又、請求項６や７に記載の構成も、合成樹脂の成形品として連結手段を構成する場合に好適なものであるが、特に請求項６に記載の構成によれば、一方の挟持部材の天板部に形成した差し込み孔に他方の挟持部材の差し込み板部を差し込む構成であるから、ローラーレールのレール材の幅などに関係なく、前記差し込み板部の位置と姿勢を前記差し込み孔によって一定にすることができ、連結手段の安定性を高めることができる。
【発明を実施するための最良の形態】
【００１３】
以下に本発明の具体的実施例を添付図に基づいて説明すると、図１〜図３において、１は支持枠であって、この支持枠１で囲まれた四角柱状空間内に、上下複数段（図示例では３段）に荷支持棚板部２Ａ〜２Ｃが架設されて、流動棚が構成されている。各荷支持棚板部２Ａ〜２Ｃは、水平方向に適当間隔おきに並列する複数本（図示例では４本）のローラーレール３によって構成されたもので、載置された荷がローラーレール３の長さ方向に重力で滑動するように所定角度で傾斜している。従って、各荷支持棚板部２Ａ〜２Ｃに対しては、その傾斜上端部側に荷を補給し、傾斜下方に滑動した荷を傾斜下端部側より取り出すように使用される。勿論、各荷支持棚板部２Ａ〜２Ｃの傾斜下端部には、滑動してきた荷を受け止めるストッパーが併設されるなど、荷が脱落しないように対策が講じられるものである。尚、図示例の流動棚では、最上段の荷支持棚板部２Ａと、これより下層段の各荷支持棚板部２Ｂ，２Ｃとは、傾斜方向、即ち、荷の滑動方向が逆になっている。
【００１４】
支持枠１は、流動棚四隅に配置された支柱部材４ａ〜４ｄの内、前側左右一対の支柱部材４ａ，４ｂ間には、各荷支持棚板部２Ａ〜２Ｃのローラーレール３の一端を支持する水平支持部材５が上下方向適当間隔おきに架設され、後ろ側左右一対の支柱部材４ｃ，４ｄ間には、各荷支持棚板部２Ａ〜２Ｃのローラーレール３の他端を支持する水平支持部材６が上下方向適当間隔おきに架設されている。そして、前後対をなす支柱部材４ａ，４ｃ間と支柱部材４ｂ，４ｄ間には中間支柱部材４ｅ，４ｆが配設され、両中間支柱部材４ｅ，４ｆ間に、各荷支持棚板部２Ａ〜２Ｃのローラーレール３の長さ方向中間部分を支持する中間水平支持部材７が架設されている。又、支持枠１の左右両側に配列された各支柱部材４ａ，４ｅ，４ｃの上下両端部間及び各支柱部材４ｂ，４ｆ，４ｄの上下両端部間には、前後方向連結部材８，９が架設されている。水平支持部材５〜７には、丸パイプ材が使用されている。
【００１５】
尚、図示の流動棚では、前後両端の支柱部材４ａ，４ｃ間及び支柱部材４ｂ，４ｄ間に、各荷支持棚板部２Ａ〜２Ｃのローラーレール３上で支持されて傾斜下方に滑動する荷を、ローラーレール３の長さ方向に案内するサイドガイドバー１０，１１が架設されている。又、図では仮想線で示すように、取り扱う荷の横幅によっては、各荷支持棚板部２Ａ〜２Ｃ上の荷支持エリアを左右に２分割するセンターガイドバー１２を、水平支持部材５〜７を利用して配設することができる。
【００１６】
荷支持棚板部２Ａ〜２Ｃを構成するローラーレール３は、図４に示すように、断面溝形のレール材１３の両側板部１４ａ，１４ｂ間に荷支持用ローラー１５をレール材長さ方向適当間隔おきに軸支して成るものである。具体的に説明すると、レール材１３は、上側開放の断面溝形材から成るもので、その両側板部１４ａ，１４ｂの上側辺には、この両側板部１４ａ，１４ｂをレール材１３の外側に突曲するように曲げ加工することにより、レール材１３の内側に向かって開口するローラー支持用凹溝部１６ａ，１６ｂがレール材長さ方向全長にわたって連続するように一体成形され、各荷支持用ローラー１５を回転自在に支承する支軸１５ａの両端部が前記ローラー支持用凹溝部１６ａ，１６ｂに嵌合した状態で、当該ローラー支持用凹溝部１６ａ，１６ｂの上側板部を支軸１５ａの前後で内側（下側）に加圧突出させることにより、支軸１５ａをレール材１３の長さ方向定位置に固定している。このレール材１３に対する荷支持用ローラー１５の軸支構造は、特に限定されるものではなく、他の軸支構造を採用してレール材１３に荷支持用ローラー１５を軸支することもできる。
【００１７】
又、レール材１３の両側板部１４ａ，１４ｂには、その長さ方向に連続するレール状の被係合部１７ａ，１７ｂが設けられている。これら両被係合部１７ａ，１７ｂは、レール材１３の底板部１８と両側板部１４ａ，１４ｂとの間の内側角部の外側に、両側板部１４ａ，１４ｂをレール材１３の外側に突曲するように曲げ加工することにより形成した、レール材長さ方向全長にわたって連続する突条部１９によって構成されている。又、この左右一対の突条部１９の天井板部２０は、レール材１３の両側板部１４ａ，１４ｂとの境界部が最も低くなるように、レール材１３の内側に向かって下がるように傾斜している。
【００１８】
上記構成のローラーレール３は、図３に示すように、その前後両端が連結部材２１ａ，２１ｂを介して支持枠１の水平支持部材５，６に支持されると同時に、長さ方向の中間部分が中間水平支持部材７に連結手段２２を介して連結支持されている。この連結手段２２は、図４〜図７に示すように、中間水平支持部材７を挟持する一対の挟持部材２３，２４によって構成されている。
【００１９】
以下、一対の挟持部材２３，２４について詳細に説明すると、これら両挟持部材２３，２４は金属板のプレス加工により構成されたもので、係止手段２５を備えている。一方の挟持部材２３は、帯状板材の下端部を円弧形に曲げ加工して構成されたもので、その上端から内側（この挟持部材２３の曲がり方向）へ折曲連設されて中間水平支持部材７の上に被さる天板部２６と、この天板部２６の左右両側辺から上向きに折曲連設されて上端部が内側斜め下方に折曲された左右一対の鉤形係合部２７ａ，２７ｂとを備えている。又、天板部２６には、舌片部２８ａと、この舌片部２８ａに上向きに押し出し形成した係止突起２８ｂとから成る係止部２８が設けられている。舌片部２８ａは、天板部２６に設けたコの字形の切り欠き２８ｃによって形成され、先端が挟持部材２３のある側に向かって延出するもので、上下に弾性変位可能である。
【００２０】
他方の挟持部材２４は、帯状板材の下端部を円弧形に曲げ加工して構成されたもので、その上端から内側（この挟持部材２４の曲がり方向）へ折曲連設された差し込み板部２９を備えている。この差し込み板部２９には、前記挟持部材２３側の係止部２８の係止突起２８ｂが嵌合する貫通孔３０ａから成る被係止部３０と、上向きに押し出し形成した突起部３１とが設けられている。前記係止手段２５は、一方の挟持部材２３側の係止部２８と他方の挟持部材２４側の被係止部３０によって構成されている。
【００２１】
一方の挟持部材２３側の鉤形係合部２６ａ，２６ｂと、一対の挟持部材２３，２４を互いに係止する係止手段２５は、以下の説明の如く機能するように構成されている。即ち、前後両端を支持枠１に取り付ける前の各ローラーレール３に連結手段２２の一方の挟持部材２３を、その左右一対の鉤形係合部２６ａ，２６ｂをレール材１３の左右一対のレール状被係止部１７ａ，１７ｂ（突条部１９）にレール材１３の一端から係合させて、当該レール材１３の中間適当位置まで移動させておく。この状態でローラーレール３の前後両端を支持枠１側の水平支持部材５，６の所定位置に連結部材２１ａ，２１ｂを介して取り付ける。このとき、各ローラーレール３の長さ方向中間部が支持枠１側の各段の中間水平支持部材７の上に位置している。次に前記挟持部材２３をレール材１３の長さ方向に移動させて、その天板部２６を中間水平支持部材７の上に被せるようにして当該天板部２６を中間水平支持部材７とその上のレール材１３の底板部１８との間に挿入させる。そして他方の挟持部材２４の差し込み板部２９を、挟持部材２３の天板部２６とその上のレール材１３の底板部１８との間に、中間水平支持部材７に対し挟持部材２３のある側とは反対側から差し込む。
【００２２】
上記操作により、挟持部材２３の天板部２６が挟持部材２４の差し込み板部２９によってレール材１３の底板部１８から離される側に押し退けられ、当該挟持部材２３の左右一対の鉤形係合部２６ａ，２６ｂの内側斜め下方に傾斜する先端部がレール材１３側の左右一対のレール状被係合部１７ａ，１７ｂ（突条部１９）の内側斜め下方に傾斜する天井板部２０に対し圧接する。又、同時に差し込み板部２９の突起部３１は、レール材１３の底板部１８の底面に圧接する。換言すれば、挟持部材２４の差し込み板部２９は、挟持部材２３の天板部２６とレール材１３の底板部１８との間の隙間を丁度埋めることができる板厚を有する。このようにして両挟持部材２３，２４をレール材１３の長さ方向に互いに接近移動させて、両挟持部材２３，２４間で中間水平支持部材７を挟持させる。この差し込み板部２９の差し込み操作の過程で、係止手段２５の挟持部材２３側の係止部２８である舌片部２８ａは、その係止突起２８ｂが差し込み板部２９の底面によって押し下げられることにより下側に弾性変位しているが、両挟持部材２３，２４が中間水平支持部材７を挟持する接近限位置に達したとき、図５に示すように、係止突起２８ｂが挟持部材２４側の被係止部３０である差し込み板部２９の貫通孔３０ａの真下に到達し、舌片部２８ａが上側に弾性復帰して係止突起２８ｂが貫通孔３０ａに嵌合して、係止手段２５の係止部２８と被係止部３０が、中間水平支持部材７を挟持した状態の両挟持部材２３，２４を互いに係止する状態になる。
【００２３】
以上のように連結手段２２を使用することにより、ローラーレール３（レール材１３）の長さ方向の中間部分を支持枠１側の中間水平支持部材７上に連結することができる。この連結状態における両挟持部材２３，２４は、ローラーレール３のレール材１３（底板部１８）と差し込み板部２９を介して中間水平支持部材７に殆どがたつきなく固定された状態にあり、ローラーレール３（レール材１３）が中間水平支持部材７の長さ方向に横動することは、挟持部材２３側の左右一対の鉤形係合部２６ａ，２６ｂとこの内側に係合しているレール材１３側の左右一対のレール状被係合部１７ａ，１７ｂ（突条部１９）とによって阻止されている。この連結状態は、挟持部材２４の差し込み板部２９を、係止手段２５の係止部２８（係止突起２８ｂ）と被係止部３０（貫通孔３０ａ）との係止力に打ち勝つ操作力で、レール材１３の底板部１８と挟持部材２３の天板部２６との間から引き抜くことにより、解くことができる。
【００２４】
ローラーレール３の長さ方向中間部分と支持枠１側の中間水平支持部材７との連結手段は、上記構成の連結手段２２に限定されるものではない。例えば、図８及び図９に示す連結手段３２は、挟持部材２３，２４を合成樹脂により成形したものであって、一方の挟持部材２３は、先の実施形態で示した連結手段２２の挟持部材２３と基本的に同一構造であり、他方の挟持部材２４には、一方の挟持部材２３の天板部２６とレール材１３（底板部１８）との間の隙間を埋める板厚で当該隙間に対しレール材長さ方向に抜き差し自在な左右一対の差し込み板部３３ａ，３３ｂを、当該挟持部材２４の上端から内側に向けて一体に連設し、両挟持部材２３，２４を互いに係止する係止手段３４として、前記左右一対の差し込み板部３３ａ，３３ｂの先端側部に外向きに突設された抜け止め用係止爪部３５ａ，３５ｂから成る係止部３５と、これら係止爪部３５ａ，３５ｂが係合するように、一方の挟持部材２３の左右一対の鉤形係合部２７ａ，２７ｂに被係止部３６を設けている。
【００２５】
具体的には、挟持部材２３側の被係止部３６は、左右一対の鉤形係合部２７ａ，２７ｂの垂直板部の一方の端面で構成しており、従って、中間水平支持部材７を両挟持部材２３，２４で挟持させたとき、左右一対の差し込み板部３３ａ，３３ｂの先端の抜け止め用係止爪部３５ａ，３５ｂは、挟持部材２３の天板部２６とレール材１３の底板部１８との間の隙間から突出して、左右一対の鉤形係合部２７ａ，２７ｂの垂直板部の一方の端面、即ち、被係止部３６に係合する。左右一対の差し込み板部３３ａ，３３ｂを挟持部材２３の天板部２６とレール材１３の底板部１８との間の隙間に差し込む過程では、当該左右一対の差し込み板部３３ａ，３３ｂは、その先端の抜け止め用係止爪部３５ａ，３５ｂが挟持部材２３側の左右一対の鉤形係合部２７ａ，２７ｂの垂直板部の内側面によって内側に押圧されることにより、先端が互いに接近するように内側へ弾性変形することになる。
【００２６】
この実施形態における連結手段３２において、挟持部材２４側の左右一対の差し込み板部３３ａ，３３ｂの長さ、即ち、先端の抜け止め用係止爪部３５ａ，３５ｂを含む全長を短くし、挟持部材２３側の被係止部３６ａ，３６ｂとして、左右一対の鉤形係合部２７ａ，２７ｂの垂直板部に前記抜け止め用係止爪部３５ａ，３５ｂが嵌合する横向きの貫通孔を設けることもできる。
【００２７】
図１０及び図１１に示す連結手段３７も合成樹脂製のものであって、一方の挟持部材２３の、左右一対の鉤形係合部２７ａ，２７ｂが左右両側辺から連設された天板部２６は、肉厚に成形されて、他方の挟持部材２４の差し込み板部２９を差し込むための偏平な差し込み孔３８が設けられている。そして、両挟持部材２３，２４を互いに係止する係止手段３９として、一方の挟持部材２３の天板部２６に被係止部４０を設けると共に他方の挟持部材２４の差し込み板部２９に係止部４１を設けている。前記被係止部４０は、天板部２６を構成する差し込み孔３８の上側板部３８ａに設けられた矩形の貫通孔４０ａで構成され、係止部４１は、差し込み板部２９に形成された舌片部４１ａと、この舌片部４１ａの上側に形成された係止突起４１ｂとから構成されている。前記舌片部４１ａは、差し込み孔３８の上側板部３８ａに設けられた切り込み４１ｃにより、先端が差し込み板部２９の差し込み方向に向かうように形成されたもので、上下に弾性変位可能である。
【００２８】
この連結手段３７では、一方の挟持部材２３の左右一対の鉤形係合部２７ａ，２７ｂをローラーレール３のレール材１３に設けられた左右一対のレール状被係合部１７ａ，１７ｂに係合させたとき、天板部２６の上面、即ち、差し込み孔３８の上側板部３８ａの上面がレール材１３の底板部１８の底面に隣接するように、左右一対の鉤形係合部２７ａ，２７ｂが形成されていなければならない。そして、一方の挟持部材２３の天板部２６の差し込み孔３８に他方の挟持部材２４の差し込み板部２９を差し込んだとき、係止部４１の舌片部４１ａが、その上側に突出する係止突起４１ｂが差し込み孔３８の上側板部３８ａの下側面に圧接することにより、差し込み板部２９の板厚の範囲内で弾性に抗して下側に変位できるように構成されている。
【００２９】
而して、レール材１３の左右一対のレール状被係合部１７ａ，１７ｂに挟持部材２３の左右一対の鉤形係合部２７ａ，２７ｂを係合させると共に、この挟持部材２３の差し込み孔３８に他方の挟持部材２４の差し込み板部２９を差し込んで、両挟持部材２３，２４間で中間水平支持部材７を挟持させるように、両挟持部材２３，２４を互いに接近移動させると、両挟持部材２３，２４が中間水平支持部材７を挟持した接近限位置に到達したとき、挟持部材２４側の係止部４１の舌片部４１ａが弾性復帰して係止突起４１ｂが挟持部材２３側の被係止部４０の貫通孔４０ａに嵌合係止させることができる。この係止突起４１ｂは、図示のように貫通孔４０ａの側辺に垂直側面が係合する鋸刃状断面形状に構成して、差し込み板部２９の抜け止め効果を高めることができる。
【００３０】
尚、上記連結手段３７の差し込み板部２９に代えて、連結手段３２の左右一対の差し込み板部３３ａ，３３ｂを差し込み孔３８に差し込めるように挟持部材２４から連設し、係止手段３９に代えて、連結手段３２の係止手段３４を採用することも可能である。
【図面の簡単な説明】
【００３１】
【図１】流動棚全体の一部縦断側面図である。
【図２】図１の一部縦断右側端面図である。
【図３】流動棚全体の平面図である。
【図４】Ａ図はローラーレールと中間水平支持部材との連結部を示す縦断側面図、Ｂ図は同縦断正面図である。
【図５】図４Ａの要部拡大縦断側面図である。
【図６】連結手段を構成する一対の挟持部材の縦断側面図である。
【図７】連結手段を構成する一対の挟持部材の平面図である。
【図８】連結手段の他の実施形態を示す斜視図である。
【図９】Ａ図は図８に示す連結手段の使用状態を示す横断平面図、Ｂ図は同縦断側面図である。
【図１０】連結手段の更に他の実施形態を示す斜視図である。
【図１１】Ａ図は図１０に示す連結手段の使用状態を示す横断平面図、Ｂ図は同縦断側面図である。
【符号の説明】
【００３２】
１    支持枠
２Ａ〜２Ｃ    荷支持棚板部
３    ローラーレール
４ａ〜４ｄ    支柱部材
４ｅ，４ｆ    中間支柱部材
５，６    水平支持部材
７    中間水平支持部材
８，９    前後方向連結部材
１０，１１    サイドガイドバー
１２    センターガイドバー
１３    レール材
１４ａ，１４ｂ    レール材の両側板部
１５    荷支持用ローラー
１６ａ，１６ｂ    ローラー支持用凹溝部
１７ａ，１７ｂ    レール状被係合部
１８    レール材の底板部
１９    突条部
２１ａ，２１ｂ    連結部材
２２，３２，３７    連結手段
２３，２４    挟持部材
２５，３４，３９    係止手段
２６    一方の挟持部材の天板部
２７ａ，２７ｂ    一方の挟持部材の鉤形係合部
２８，３５，４１    係止部
２８ａ，４１ａ    舌片部
２８ｂ，４１ｂ    係止突起
２８ｃ，４１ｃ    切り込み
２９，３３ａ，３３ｂ    差し込み板部
３０，３６，４０    被係止部
３０ａ    貫通孔
３１    突起部
３５ａ，３５ｂ    抜け止め用係止爪部
３８    差し込み孔
【図１】
0004915336.tif 000002
【図２】
0004915336.tif 000003
【図３】
0004915336.tif 000004
【図４】
0004915336.tif 000005
【図５】
0004915336.tif 000006
【図６】
0004915336.tif 000007
【図７】
0004915336.tif 000008
【図８】
0004915336.tif 000009
【図９】
0004915336.tif 000010
【図１０】
0004915336.tif 000011
【図１１】
0004915336.tif 000012